(57)【要約】【課題】燃料タンクに低温液化ガスを供給するときの所要時間を短縮する。【解決手段】低温液化ガスを貯蔵する第１タンク１と、第１タンク１に貯蔵された低温液化ガスが供給される第２タンク２と、第２タンク２に供給される低温液化ガスが流れる低温液化ガス供給通路３と、第２タンク２で発生したボイルオフガスが流れる第１ボイルオフガス回収通路４と、を備える低温液化ガス供給装置１００であって、第２タンク２内のボイルオフガス発生量を検出し、ボイルオフガス発生量に応じて第１タンク１に回収するボイルオフガス量を調節することを特徴とする。【選択図】図２
2011047477.tif 000002
【特許請求の範囲】
【請求項１】
低温液化ガスを貯蔵する第１タンクと、
前記第１タンクに貯蔵された低温液化ガスが供給される第２タンクと、
前記第１タンクから前記第２タンクに低温液化ガスを供給するための低温液化ガス供給通路と、
前記第２タンクで発生したボイルオフガスを第１タンクに回収するための第１ボイルオフガス回収通路と、
を備える低温液化ガス供給装置であって、
前記第２タンク内のボイルオフガス発生量を検出するボイルオフガス発生量検出手段と、
前記ボイルオフガス発生量に応じて、前記第１タンクに回収するボイルオフガス量を調節するボイルオフガス回収量調節手段と、
を備えることを特徴とする低温液化ガス供給装置。
【請求項２】
前記ボイルオフガス回収量調節手段は、
前記第１ボイルオフガス回収通路に設けられ、ボイルオフガスを第１タンクに圧送するポンプを備え、
前記ボイルオフガス発生量が多いときほど前記ポンプの吐出流量を増加させて、前記第１タンクに回収するボイルオフガス量を増加させる
ことを特徴とする請求項１に記載の低温液化ガス供給装置。
【請求項３】
前記低温液化ガス供給通路と前記第１ボイルオフガス回収通路とを接続する第２ボイルオフガス回収通路と、
前記第２ボイルオフガス回収通路を開閉する開閉弁と、
前記低温液化ガス供給通路及び前記第１ボイルオフガス回収通路のガス圧力を検出する圧力検出手段と、
を備え、
前記第２タンク内の低温液化ガス量が、前記第２タンクが満タンになったと判断できる所定量より多くなったときに前記開閉弁を開き、
前記第２タンク内の低温液化ガス量が前記所定量より多くなり、かつ、前記低温液化ガス供給通路及び前記第１ボイルオフガス回収通路のガス圧力が略大気圧以下となったときに前記ポンプの駆動を停止する
ことを特徴とする請求項２に記載の低温液化ガス供給装置。
【請求項４】
前記低温液化ガス供給通路は、
前記第１タンクに接続される第１タンク側低温液化ガス供給通路と、
前記第２タンクに接続される第２タンク側低温液化ガス供給通路と、
前記第１タンク側低温液化ガス供給通路と前記第２タンク側低温液化ガス供給通路とを接続する第１カップリングと、を備え、
前記第１ボイルオフガス回収通路は、
前記第１タンクに接続される第１タンク側ボイルオフガス通路と、
前記第２タンクに接続される第２タンク側ボイルオフガス通路と、
前記第１タンク側ボイルオフガス通路と前記第２タンク側ボイルオフガス通路とを接続する第２カップリングと、を備え、
前記ポンプの駆動を停止した後に前記第１カップリング及び前記第２カップリングの接続を解除可能にする
ことを特徴とする請求項３に記載の低温液化ガス供給装置。
【発明の詳細な説明】
【技術分野】
【０００１】
本発明は低温液化ガス供給装置に関する。
【背景技術】
【０００２】
特許文献１には、ポンプによる圧送によって、タンクローリからユーザの基地等に設置した貯槽に低温液化ガスの荷降ろしを行うことが記載されている。
【先行技術文献】
【特許文献】
【０００３】
【特許文献１】特開平１１−３２１４３３号公報
【発明の概要】
【発明が解決しようとする課題】
【０００４】
しかしながら、貯槽内の低温液化ガスの量が少なくなっていると、貯槽自体の温度が外気温等の影響で上昇してしまう。そうすると、低温液化ガスが貯槽へ流入した途端に気化してしまって貯槽内の内部圧力が増加して低温液化ガスの供給に時間がかかり、効率良く低温液化ガスを供給できないという問題点があった。
【０００５】
本発明はこのような問題点に着目してなされたものであり、効率良く低温液化ガスを供給することを目的とする。
【課題を解決するための手段】
【０００６】
本発明は、低温液化ガスを貯蔵する第１タンクと、第１タンクに貯蔵された低温液化ガスが供給される第２タンクと、第１タンクから第２タンクに低温液化ガスを供給するための低温液化ガス供給通路と、第２タンクで発生したボイルオフガスを第１タンクに回収するための第１ボイルオフガス回収通路と、を備える低温液化ガス供給装置であって、第２タンク内のボイルオフガス発生量を検出するボイルオフガス発生量検出手段と、ボイルオフガス発生量に応じて、前記第１タンクに回収するボイルオフガス量を調節するボイルオフガス回収量調節手段と、を備えることを特徴とする。
【発明の効果】
【０００７】
本発明によれば、第２タンクへの低温液化ガスの供給時において、第２タンク内のボイルオフガス発生量に応じて第１タンクに戻すボイルオフガス量を調節する。これにより、第２タンクの内部圧力の増加を抑制できるので、第２タンクに供給される低温液化ガスの流量が減少することもなく、低温液化ガスの供給時間を短縮させることができる。よって、効率良く低温液化ガスを供給することができる。
【図面の簡単な説明】
【０００８】
【図１】低温液化ガス供給システムの概略構成図である。
【図２】低温液化ガス供給制御について説明するフローチャートである。
【発明を実施するための形態】
【０００９】
以下、図面等を参照して本発明の一実施形態について説明する。以下の説明において、「低温液化ガス」とは、常温、大気圧化では気体の状態で存在し、人為的に冷却することで液化させたガスのことをいう。また、「ボイルオフガス（Boil Off Gas；以下「ＢＯＧ」という。）」とは、低温液化ガスのうち、温度上昇によって気化したものをいう。
【００１０】
図１は、本発明の一実施形態による低温液化ガス供給装置１００の概略構成図である。
【００１１】
低温液化ガス供給装置１００は、貯蔵タンク１と、移動タンク２と、低温液化ガス供給通路３と、第１ＢＯＧ回収通路４と、第２ＢＯＧ回収通路５と、移動タンク用コントローラ６と、貯蔵タンク用コントローラ７と、を備える。
【００１２】
低温液化ガス供給装置１００は、移動タンク１に貯蔵された低温液化ガスを低温液化ガス供給通路３を介して移動タンク２に供給し、低温液化ガスの供給中に移動タンク２で発生したＢＯＧを第１ＢＯＧ回収通路４を介して移動タンク１に戻す。以下、各構成部品について詳細に説明する。
【００１３】
貯蔵タンク１は、移動タンク２に供給するための低温液化ガスを貯蔵する大型のタンクである。
【００１４】
移動タンク２は、貯蔵タンク１から供給される低温液化ガスを貯蔵する。移動タンク２は、低温液化ガスを液体状態で貯蔵することのできる保温性、耐圧性に優れた自由に移動可能（切り離し可能）なタンクである。移動タンク２としては、例えば車両燃料タンクやタンクローリ車等に搭載された輸送タンクなどが挙げられる。移動タンク２には、移動タンク内の低温液化ガスの液面レベルを検出する液面センサ２１が設けられる。
【００１５】
低温液化ガス供給通路３は、貯蔵タンク１から移動タンク２に供給される低温液化ガスが流れる通路である。低温液化ガス供給通路３には、上流から順に第１電磁弁３１と、第１圧力センサ３２と、第１カップリング（管継手）３３と、第２電磁弁３４と、が設けられる。
【００１６】
第１電磁弁３１は、貯蔵タンク１側の低温液化ガス供給通路３を開閉する。第１電磁弁３１によって、貯蔵タンク１から低温液化ガス供給通路３に流出する低温液化ガスの流量を調節する。
【００１７】
第１圧力センサ３２は、低温液化ガス供給通路３のガス圧力（ＢＯＧの圧力）を検出する。
【００１８】
第１カップリング３３は、ソケット３３１と、プラグ３３２と、第１カップリングセンサ３３３と、を備える。貯蔵タンク１側の低温液化ガス供給通路３ａの端部に設けられたソケット３３１に、移動タンク２側の低温液化ガス供給通路３ｂの端部に設けられたプラグ３３２を差し込むことで、貯蔵タンク１側の低温液化ガス供給通路３ａと移動タンク２側の低温液化ガス供給通路３ｂとが接続される。第１カップリングセンサ３３３は、貯蔵タンク１側の低温液化ガス供給通路３ａと移動タンク２側の低温液化ガス供給通路３ｂとが接続されたかを検出する。
【００１９】
第２電磁弁３４は、移動タンク２側の低温液化ガス供給通路３ｂを開閉する。第２電磁弁３４によって、低温液化ガス供給通路３から移動タンク２に流入する低温液化ガスの流量を調節する。
【００２０】
第１ＢＯＧ回収通路４は、低温液化ガスを移動タンク２に供給する最中に発生したＢＯＧを貯蔵タンク１の戻すための通路である。第１ＢＯＧ回収通路４には、上流から順に、第３電磁弁４１と、第２カップリング４２と、第２圧力センサ４３と、第４電磁弁４４と、ポンプ４５と、を備える。
【００２１】
第３電磁弁４１は、移動タンク２側の第１ＢＯＧ回収通路４ｂを開閉する。第３電磁弁４１によって、移動タンク２から第１ＢＯＧ回収通路４に流出するＢＯＧの流量を制御する。
【００２２】
第２カップリング４２は、ソケット４２１と、プラグ４２２と、第２カップリングセンサ４２３と、を備える。貯蔵タンク１側の第１ＢＯＧ回収通路４ａの端部に設けられたソケット４２１に、移動タンク２側の第１ＢＯＧ回収通路４ｂの端部に設けられたプラグ４２２を差し込むことで、貯蔵タンク１側の第１ＢＯＧ回収通路４ａと移動タンク２側の第１ＢＯＧ回収通路４ｂとが接続される。第２カップリングセンサ４２３は、貯蔵タンク１側の第１ＢＯＧ回収通路４ａと移動タンク２側の第１ＢＯＧ回収通路４ｂとが接続されたかを検出する。
【００２３】
第２圧力センサ４３は、第１ＢＯＧ回収通路４のガス圧力（ＢＯＧの圧力）を検出する。第２圧力センサ４３の検出値は、第３電磁弁４１が開いているときは移動タンク２の内部で発生したＢＯＧ量として扱うことができる。一方で、第３電磁弁４１が閉じているときは第１ＢＯＧ回収通路４内のガス圧力として扱うことができる。
【００２４】
第４電磁弁４４は、貯蔵タンク１側の第１ＢＯＧ回収通路４ａを開閉する。第４電磁弁４４によって、第１ＢＯＧ回収通路４から貯蔵タンク１に流入するＢＯＧの流量を制御する。
【００２５】
ポンプ４５は、吐出流量を自由に制御できる可変容量型のポンプ４５であり、低温液化ガスを移動タンク２に供給する最中に、移動タンク２内で発生したＢＯＧを貯蔵タンク１に圧送する。
【００２６】
第２ＢＯＧ回収通路５は、低温液体燃料の供給を終了した後に低温液化ガス供給通路３内に残存するＢＯＧを貯蔵タンク１に戻すための通路である。第２ＢＯＧ回収通路５の一端部は貯蔵タンク１側の低温液化ガス供給通路３ａに接続され、他端部は貯蔵タンク１側の第１ＢＯＧ回収通路４ａに接続される。第２ＢＯＧ回収通路５には、第５電磁弁５１が設けられる。
【００２７】
第５電磁弁５１は、第２ＢＯＧ回収通路５を開閉する。第５電磁弁５１によって、低温液化ガス供給通路３から第１ＢＯＧ回収通路４に流入するＢＯＧの流量を制御する。
【００２８】
移動タンク用コントローラ６及び貯蔵タンク用コントローラ７は、それぞれ中央演算装置（ＣＰＵ）、読み出し専用メモリ（ＲＯＭ）、ランダムアクセスメモリ（ＲＡＭ）、及び入出力インタフェース（Ｉ／Ｏインタフェース）を備えたマイクロコンピュータで構成される。
【００２９】
移動タンク用コントローラ６は、電源スイッチ６１がオンにされると起動する。電源スイッチ６１のオンオフは、人為的に行われる。移動タンク用コントローラ６は、液面センサ２１、第１カップリングセンサ３３３及び第２カップリングセンサ４２３の検出値を、低温液化ガスの供給時に接続される通信ライン８を介して貯蔵タンク用コントローラ７に送る。
【００３０】
貯蔵タンク用コントローラ７は、電源スイッチ７１がオンにされると起動する。そして制御スイッチ７２がオンにされると移動タンク用コントローラ６から送られてきた情報と、第１圧力センサ３２及び第２圧力センサ４３の検出値とに基づいて、貯蔵タンク１から移動タンク２へ低温液化ガスが供給されるように、各電磁弁及びポンプ４５を制御する。電源スイッチ７１のオンオフ及び制御スイッチ７２のオンは、人為的に行われる。以下、本実施形態によるこの低温液化ガス供給制御について説明する。
【００３１】
図２は、本実施形態による低温液化ガス供給制御について説明するフローチャートである。ステップＳ２からステップＳ５が、移動タンク２が満タンになるまでの処理であり、ステップＳ６からステップＳ８が、移動タンク２が満タンになった後の処理である。
【００３２】
ステップＳ１において、貯蔵タンク用コントローラ７は、移動タンク２への低温液化ガスの供給が終了したかを判断するため、移動タンク２が満タンになっているかを判断する。具体的には、液面センサ２１の検出値が所定値より大きいかを判断する。貯蔵タンク用コントローラ７は、移動タンク２が満タンでなければステップＳ２に処理を移行する。一方で、移動タンク２が満タンであればステップＳ６に処理を移行する。
【００３３】
ステップＳ２において、貯蔵タンク用コントローラ７は、貯蔵タンク１側の低温液化ガス供給通路３ａと移動タンク２側の低温液化ガス供給通路３ｂとが接続されたか、及び、貯蔵タンク１側の第１ＢＯＧ回収通路４ａと移動タンク２側の第１ＢＯＧ回収通路４ｂとが接続されたか、を判断する。具体的には、第１カップリングセンサ３３３及び第２カップリングセンサ４２３の検出値に基づいて判断する。貯蔵タンク用コントローラ７は、接続が完了していればステップＳ３に処理を移行する。一方で、接続が完了していなければ今回の処理を終了する。
【００３４】
ステップＳ３において、貯蔵タンク用コントローラ７は、第１電磁弁３１及び第２電磁弁３４を開いて移動タンク２への低温液化ガスの供給を開始する。
【００３５】
ステップＳ４において、貯蔵タンク用コントローラ７は、第３電磁弁３４及び第４電磁弁４４を開くとともにポンプ４５を駆動し、移動タンク２内で発生したＢＯＧを貯蔵タンク１に戻す。
【００３６】
ステップＳ５において、貯蔵タンク用コントローラ７は、第２圧力センサ４３の検出値に基づいてポンプ４５のガス吐出流量を制御する。具体的には、第２圧力センサ４３の検出値が高くなるほどポンプ４５のガス吐出流量が大きくなるように制御する。これは、第３電磁弁４１が開いているときは、第２圧力センサ４３の検出値を移動タンク２の内部で発生したＢＯＧ量として扱うことができるためである。
【００３７】
以上、ステップＳ２からステップＳ５までが、移動タンク２が満タンになるまでの処理である。以下、ステップＳ６以降の移動タンク２が満タンになった後の処理について説明する。
【００３８】
ステップＳ６において、貯蔵タンク用コントローラ７は、第１電磁弁３１、第２電磁弁３４及び第３電磁弁４１を閉じて、移動タンク２への低温液化ガスの供給を停止する。
【００３９】
ステップＳ７において、貯蔵タンク用コントローラ７は、低温液化ガス供給通路３に存在するＢＯＧを貯蔵タンク１に戻すために、第５電磁弁５１を開く。
【００４０】
ステップＳ８において、貯蔵タンク用コントローラ７は、第１圧力センサ３２及び第２圧力センサ４３のそれぞれの検出値が大気圧以下かを判断する。これは、低温液化ガス供給通路３及び第１ＢＯＧ回収通路４の圧力が大気圧より大きいと、第１カップリング３３及び第２カップリング４２の接続を解除するために必要な力が大きくなり、第１カップリング３３及び第２カップリング４２の接続を解除できない場合があるからである。貯蔵タンク用コントローラ７は、第１圧力センサ３２及び第２圧力センサ４３のそれぞれの検出値が大気圧より大きければステップＳ５に処理を移行し、引き続きポンプを駆動して低温液化ガス供給通路３及び第１ＢＯＧ回収通路４の圧力を低下させる。一方で、第１圧力センサ３２及び第２圧力センサ４３のそれぞれの検出値が大気圧以下であればステップＳ９に処理を移行する。
【００４１】
ステップＳ９において、貯蔵タンク用コントローラ７は、ポンプ４５を停止する。
【００４２】
ステップＳ１０において、貯蔵タンク用コントローラ７は、第４電磁弁４４及び第５電磁弁５１を閉じる。
【００４３】
ステップＳ１１において、貯蔵タンク用コントローラ７は、制御スイッチ７２をオフにして、低温液化ガス供給制御を終了させる。
【００４４】
以下、本実施形態による低温液化ガス供給制御の作用効果について説明する。
【００４５】
まず、移動タンク２が満タンになるまでの作用効果について説明する。作業者によって貯蔵タンク１側の低温液化ガス供給通路３ａと移動タンク２側の低温液化ガス供給通路３ｂとが接続され、貯蔵タンク１側の第１ＢＯＧ回収通路４ａと移動タンク２側の第１ＢＯＧ回収通路４ｂとが接続される。そして、作業者によって移動タンク用コントローラ６及び貯蔵タンク用コントローラ７の電源スイッチ６１，７１がオンにされ、さらに貯蔵タンク用コントローラ７の制御スイッチ７２がオンにされると低温液化ガス供給制御が始まる。
【００４６】
低温液化ガス供給制御が始まると、貯蔵タンク用コントローラ７は、まず移動タンク２が満タンかを判断する（Ｓ１）。
【００４７】
通常、低温液化ガスの供給前は移動タンク２が満タンではないので（Ｓ１でＮｏ）、貯蔵タンク用コントローラ７は次に、貯蔵タンク１側の低温液化ガス供給通路３ａと移動タンク２側の低温液化ガス供給通路３ｂとが確実に接続されているか、及び、貯蔵タンク１側の第１ＢＯＧ回収通路４ａと移動タンク２側の第１ＢＯＧ回収通路４ｂとが確実に接続されているか、を判断する（Ｓ２）。
【００４８】
接続が完了していれば第１電磁弁３１から第４電磁弁４４までを開く（Ｓ２でＹｅｓ，Ｓ３）。第１電磁弁３１及び第２電磁弁３４が開かれると、貯蔵タンク１に貯蔵された低温液化ガスは自重によって移動タンク２へと流れ込む。一方で、接続が完了していなければ、例えば警告灯などを点灯させるなどして作業者に第１カップリング３３及び第２カップリング４２の接続の再確認を促す。
【００４９】
ここで、低温液化ガスが供給される直前の移動タンク２の内部温度は、温度の低い低温液化ガスの残量が少なく、外気の熱の影響を受けることと相まって、供給される低温液化ガスの温度と比べて高温になっている。そのため、供給された低温液化ガスが移動タンク２に流入した途端に移動タンク２の内部で気化してしまい、移動タンク２の内部で多量のＢＯＧが発生する可能性がある。そうすると、移動タンク２の内部圧力が上昇して移動タンク２に供給される低温液化ガスの流量が低下し、移動タンク２を満タンにするまでの時間が長くなってしまう。
【００５０】
そこで本実施形態では、移動タンク２の内部で発生したＢＯＧを第１ＢＯＧ回収通路４を介して貯蔵タンク１に戻すことで、移動タンク２の内部圧力の増加を抑制する。具体的には、第１ＢＯＧ回収通路４の圧力は第３電磁弁４１が開いている状態では移動タンク２の内部圧力に相当するので、まず第１ＢＯＧ回収通路４の圧力を第２圧力センサ４３で検出し、第２圧力センサ４３の検出値が大きいときほど第１回収通路に設けたポンプ４５のガス吐出流量を増大させる（Ｓ４，Ｓ５）。
【００５１】
これにより、移動タンク２の内部圧力を、低温液化ガスを供給するのに適切な圧力に保つことができるので、移動タンク２を満タンにするまでの時間が長くなるのを抑制できる。すなわち、効率良く移動タンク２に低温液化ガスを供給することができる。
【００５２】
次に、移動タンク２が満タンになった後の作用効果について説明する。
【００５３】
移動タンク２に設けられた液面センサ２１の検出値が所定の液面レベルを超えて、移動タンク２が満タンになったと判断されると（Ｓ１でＹｅｓ）、貯蔵タンク用コントローラ７は、第１電磁弁３１、第２電磁弁３４及び第３電磁弁４１を閉じて移動タンク２への低温液化ガスの供給を停止する（Ｓ６）。また、低温液化ガス供給通路３に存在するＢＯＧを貯蔵タンク１に回収するために第５電磁弁５１を開く（Ｓ７）。
【００５４】
そして、第１圧力センサ３２及び第２圧力センサ４３のそれぞれの検出値が大気圧以下となるまでは、引き続きポンプ４５を第２圧力センサ４３の検出値に基づいて制御する（Ｓ８でＮｏ，Ｓ５）。これにより、低温液化ガス供給通路３及び第１ＢＯＧ回収通路４のＢＯＧを貯蔵タンク１に送り込むとともに、低温液化ガス供給通路３及び第１ＢＯＧ回収通路４のガス圧力を大気圧まで低下させる。すなわち、第１カップリング３３及び第２カップリング４２にかかる圧力を大気圧相当にする。
【００５５】
一方で、第１圧力センサ３２及び第２圧力センサ４３のそれぞれの検出値が大気圧以下になれば、ポンプ４５を停止するとともに、第４電磁弁４４及び第５電磁弁５１を閉じる（Ｓ８でＹｅｓ、Ｓ９，Ｓ１０）。また、制御スイッチをオフにする（Ｓ１１）。
【００５６】
これにより、第１カップリング３３及び第２カップリング４２の接続を解除するときに、第１カップリング３３及び第２カップリング４２に過大な圧力がかかるのを抑制できるので、容易に第１カップリング３３及び第２カップリング４２の接続を解除できる。
【００５７】
また、このように第１カップリング３３及び第２カップリング４２の接続を解除する前に、低温液化ガス供給通路３及び第１ＢＯＧ回収通路４内のＢＯＧを回収するので、低温液化ガス供給通路３及び第１ＢＯＧ回収通路４に残存するＢＯＧを大気に拡散させることなく貯蔵タンク１に回収できる。したがって、低温液化ガスを無駄にすることがない。
【００５８】
なお、本発明は上記の実施形態に限定されずに、その技術的な思想の範囲内において種々の変更がなしうることは明白である。
【００５９】
例えば、低温液化ガス供給通路３に低温液化ガスを移動タンク２に供給するためのポンプを別途設けても良い。
【００６０】
また、第１電磁弁３１から第５電磁弁５１を、開度が自由に制御できる電磁弁としても良い。
【００６１】
また、第１カップリング３３及び第２カップリング４２は、プラグをソケットに差し込む形式のものに限らず、周知のいかなる管継手を用いても良い。
【００６２】
また、ステップＳ５において、第２圧力センサ４３の検出値に応じてポンプ４５の吐出流量を可変としたが、第２圧力センサ４３の検出値が所定値以上のときにはポンプの吐出流量を相対的に増加させ、所定値未満のときには減少させるようにしても良い。
【００６３】
また、ステップＳ８において、第１圧力センサ３２及び第２圧力センサ４３のそれぞれの検出値が大気圧以下かを判断しているが、ここでいう大気圧には略大気圧も含まれ、そのような場合も本発明の技術的範囲に含まれる。
【符号の説明】
【００６４】
１    貯蔵タンク（第１タンク）
２    移動タンク（第２タンク）
３    低温液化ガス供給通路
３ａ  貯蔵タンク側の低温液化ガス供給通路（第１タンク側低温液化ガス供給通路）
３ｂ  移動タンク側の低温液化ガス供給通路（第２タンク側低温液化ガス供給通路）
４    第１ＢＯＧ回収通路（第１ボイルオフガス回収通路）
４ａ  貯蔵タンク側の第１ＢＯＧ回収通路（第１タンク側ボイルオフガス通路）
４ｂ  移動タンク側の第１ＢＯＧ回収通路（第２タンク側ボイルオフガス通路）
５    第２ＢＯＧ回収通路（第２ボイルオフガス回収通路）
３２  第１圧力センサ（圧力検出手段）
３３  第１カップリング
４２  第２カップリング
４３  第２圧力センサ（ボイルオフガス発生量検出手段、圧力検出手段）
４５  ポンプ
５１  第５電磁弁（開閉弁）
１００  低温液化ガス供給装置
Ｓ３    ボイルオフガス回収量調節手段
Ｓ５    ボイルオフガス発生量検出手段、ボイルオフガス回収量調節手段
【図１】
2011047477.tif 000003
【図２】
2011047477.tif 000004